(57)【特許請求の範囲】
【請求項１】
不織布、編布又は織布等の布帛からなる給水層の両面に、一体的に、疎水性多孔質膜からなる水蒸発層が設けられ、且つ、該疎水性多孔質膜が多孔質高分子基材の骨格を撥水性及び撥油性を有する有機ポリマで被覆して成る連続気孔を有する多孔質膜であることを特徴とする加湿用シート。
【請求項２】
前記有機ポリマが繰り返し表われるペンダント基としてフッ素化有機側鎖を有する有機ポリマである請求項１記載の加湿用シート。
【請求項３】
前記多孔質高分子基材が延伸多孔質ポリテトラフルオロエチレンである請求項１又は２記載の加湿用シート。
【請求項４】
端縁部が閉じられた請求項１，２又は３記載の加湿用シートが、通風のための間隔をおいて、略平行に、複数個設けられており、該複数個の加湿用シートの各々の間の適宜の位置に給水用板状体が挟まれて上下の加湿用シートと接合されており、該給水用板状体には、複数個の加湿用シート及び給水用板状体を貫通する給水用小穴が設けられていることを特徴とする加湿ユニット。
【発明の詳細な説明】
【０００１】
【産業上の利用分野】
本発明は透湿性膜を用いた加湿用シート及びそれを利用した加湿ユニットに関する。
【０００２】
【従来の技術】
疎水性高分子の多孔質膜を用いた膜式加湿器が知られている。これは、図２に示すように、水の通過を阻止し、水蒸気の通過を許容する疎水性多孔質膜４に補強材３を積層したシートを用いて袋帯状の中空構造体を形成し、内部には水の流路を確保するためのスペーサー８を配置し、図３に示すように通風路を確保するためのセパレータ７と共に渦巻状に巻き上げ、取付枠５に収納したものである。この加湿器を運転するには、注水口６より加湿用の水を袋帯状の中空構造体の内部に供給し、取付枠５の開口部へと空気を送る。これにより、中空構造体の内部の水は、疎水性多孔質膜を介して水蒸気として外部へ放出され、加湿される。（例えば、特公平３−６１０９号公報）
ところが、このタイプの加湿器は、前記袋帯状の中空構造体の内部に給水されると、中空構造体が膨張して空気の通路を狭くするために、加湿効率が低下したり、空気の圧力損失を増大させる。また、内部水圧によるシートの破壊を防ぐために、補強材が不可欠であった。
【０００３】
このため、特開昭６１−１８０８４２号公報には、中空構造体の中空部を複数本の通路に分割し且つ給水量を制御するための制御部を設けることが提案されている。しかしながら、この方法は構造が複雑となり、コスト上からも実用的でない。
また、上記疎水性多孔質材料から成る加湿膜を用いた加湿器は、加湿用水に油性成分例えば配管工事等で用いられ切削油等が混入した場合、この油性成分が膜表面に付着した後膜内部に侵入し、加湿用水は、この侵入した部分から膜を通過し、漏れ出すようになる。また、長期間の使用により、加湿用水中に含まれる有機性、無機性の不純物がこの加湿膜の表面に付着し、この汚れにより加湿膜の撥水性が低下し、所定の耐水圧を維持出来なくなって加湿用水が漏れ出すようになる。このような加湿器からの水のリークは、加湿空気に水滴が混じり合い、室内を濡らすことになる。併せて、カルシウム等の成分を含んだ加湿用水が室内に飛散することとなり、飛散した水が乾燥すると、後に白粉が残り、白粉公害となる。
【０００４】
このように、従来の加湿膜は耐切削油性、耐染色性等に欠けるため、このような加湿膜を用いた加湿器を運転する場合は、加湿用水を前処理し、これらの不純物を除去する必要があったが、この前処理は、設備的にも大がかりとなり、コスト高となり実用的ではなかった。従って、切削油による汚染、加湿用水中の不純物による汚染が発生すると、加湿膜の全面交換が必要であった。
【０００５】
以上の様な問題を解決するために、特開平５−１８５７２号公報には、多孔質疎水性高分子材料に親水性樹脂の連続被膜を設けた加湿膜を用いることが提案されている。しかしながら、この加湿膜は、多孔質材料を無孔質としたもので、透湿度の低下は避けられず、加湿能力の低下は、装置の大型化につながっていた。また、この加湿膜は無孔質である為に通気性が無く、加湿器内に加湿用水を導入する際、空気を排除する為の手段が別途必要であるという煩わしさがあった。
【０００６】
【発明が解決しようとする課題】
本発明は、上記問題点を解決し、耐汚染性を有し、透湿度が高く、かつ給水後も空気の圧力損失が変化せず、補強材の不要な加湿用シート及びそのシートを用いた加湿ユニットを提供することを目的とする。
【０００７】
【課題を解決するための手段】
本発明は、上記目的を達成するために、不織布、編布又は織布等の布帛からなる給水層の両面に、一体的に、疎水性多孔質膜からなる水蒸発層が設けられ、且つ、該疎水性多孔質膜が多孔質高分子基材の骨格を撥水性及び撥油性を有する有機ポリマで被覆して成る連続気孔を有する多孔質膜であることを特徴とする加湿用シート、及び端縁部が閉じられた請求項１，２又は３記載の加湿用シートが、通風のための間隔をおいて、略平行に、複数個設けられており、該複数個の加湿用シートの各々の間の適宜の位置に給水用板状体が挟まれて上下の加湿用シートと接合されており、該給水用板状棒には、複数個の加湿用シート及び給水用板状体を貫通する給水用小穴が設けられていることを特徴とする加湿ユニットを提供する。
【０００８】
図１を参照すると、本発明の加湿用シートは給水層１の両面に疎水性多孔質膜２を積層したものである。
給水層１はこれに供給された加湿用水を保持するのに役立ち、この加湿用水は水蒸発層２を通して水蒸気としてシート外へ（外部へ）と放出される。
給水層１を構成する材料としては、アクリル樹脂、ジアセテート樹脂、ナイロン等から得られる不織布、編布、織布を用いることができるが、加湿器運転時の目詰まり防止等の観点から不織布、編布が特に好ましい。
【０００９】
また、給水層１の厚さは任意の値をとることができるが、通常１〜１０ｍｍ好ましくは２〜５ｍｍである。また、目付けは不織布の場合、２０〜１０００ｇ／ｍ２  、特に２００〜３００ｇ／ｍ２  程度が好ましい。
水蒸発層２は、既述のとおり、給水層１の両面に一体的に積層され、給水層１に保持されている水を水蒸気として外部に放出する機能を有するものであり、疎水性多孔質膜からなる。
【００１０】
本発明の疎水性多孔質膜２は、多孔質高分子基材の骨格を撥水性及び撥油性を有する有機ポリマで被覆して成る連続気孔を有する多孔質膜である。
この多孔質高分子基材は、基材の表面から裏面にかけて連通する多数の微細孔を有する高分子材料からなる。具体的には、耐熱性、耐腐食性を有するものが好ましく、ポリエチレン、ポリプロピレン等のポリオレフイン樹脂の多孔質体、ポリカーボネート、ポリスチレン、ポリ塩化ビニル、ポリ塩化ビニリデン、ポリエステル等の多孔質体、ポリテトラフルオロエチレン、テトラフルオロエチレン／ヘキサフルオロプロピレン共重合体、ポリフッ化ビニル、ポリフッ化ビニリデン等のフッ素樹脂の多孔質体等が使用出来るが、なかでもポリテトラフルオロエチレンを延伸処理して得られる多孔質材料は、フイブリルと呼ばれる小繊維とノードと呼ばれる結節から構成された独特の連通多孔質構造を有しており、本発明で用いる有機ポリマの微細粒子を安定してその構造体に取り込むことが出来、撥水性、耐熱性、耐薬品性にも優れており、好ましい材料といえる。
【００１１】
多孔質高分子材料の孔径としては、本発明の有機ポリマの粒子が入れ込むことが必要であり、通常０．０１〜１０μｍ、特に０．１〜１μｍの平均孔径のものが好ましい。この孔径が大きすぎると、耐水圧の低下をもたらし良くない。空孔率は、５〜９５％、特に８０〜９５％のものが好ましい。空孔率が小さすぎると透湿度が小さくなって加湿効率が低下する。また大きすぎると多孔質材料の強度が低下する。厚みについては５〜１０００μｍ、特に３０〜１００μｍのものが好ましく、厚すぎると、透湿度が低下し、逆にあまり薄いものでは強度的に問題がある。
【００１２】
本発明の多孔質高分子基材の骨格を被覆する有機ポリマは撥水性及び撥油性を有する有機ポリマであれば特に限定されないが、フッ素化有機側鎖を繰り返し表れるペンダント基として有するポリマが好適である。。この有機ポリマは、ポリマ鎖のペンダント基が高くフッ素化されているので、基材である多孔質高分子材料の撥水性および撥油性を増大させる働きがある。
【００１３】
フッ素化有機側鎖を有する有機ポリマとしては、具体的には、式
【００１４】
【化１】
0003606614.tif 000002
【００１５】
（式中、ｎは３〜１３の基数であり、ＲはＨ又はＣＨ３  である）のフルオロアルキルアクリレート及びフルオロアルキルメタクリレート、フルオロアルキルアリールウレタン、例えば
【００１６】
【化２】
0003606614.tif 000003
【００１７】
フルオロアルキルアリルウレタン、例えば
【００１８】
【化３】
0003606614.tif 000004
【００１９】
フルオロアルキルマレイン酸エステル、例えば
【００２０】
【化４】
0003606614.tif 000005
【００２１】
フルオロアルキルウレタンアクリレート、フルオロアルキルアミド、フルオロアルキルスルホアミドアクリレート、などのモノマを重合して得られるものが好適である。フッ素化アルキル部分は６〜１６個の炭素原子を有することが好ましく、６〜１２個の炭素原子を有することが最も好ましい。
撥水性及び撥油性を有するその他の有機ポリマとして主鎖に脂肪族環構造を有するものもある。具体的には、次の一般式で示されるものなどを挙げることができる。
【００２２】
【化５】
0003606614.tif 000006
【００２３】
（ただし、Ｒ１  はＦまたはＣＦ３  、Ｒ２  はＦまたはＣＦ３  ）
【００２４】
【化６】
0003606614.tif 000007
【００２５】
（ただし、ｌは０〜５、ｍは０〜４、ｎは０〜１、１＋ｍ＋ｎは１〜６、ＲはＦまたはＣＦ３  ）
【００２６】
【化７】
0003606614.tif 000008
【００２７】
（ただし、ｏ，ｐ，ｑは０〜５、ｏ＋ｐ＋ｑは１〜６）
これら一般式で示される含フッ素重合体の中でも、特に次のような環構造を有するものが好適に用いられる。
【００２８】
【化８】
0003606614.tif 000009
【００２９】
【化９】
0003606614.tif 000010
【００３０】
市販されている「ＡＦポリマ」（デュポン社の商品名）、「サイトップ」（旭硝子の商品名）なども使用可能である。
また、上記の如きポリマの撥水性及び撥油性を失なわない限り共重合体も使用できることはもちろんである。
ここで、共重合させる単量体としては、特に限定はされないが、フルオロオレフィン、フルオロビニルエーテルなどの含フッ素モノマが望ましく、例えば四フッ化エチレン、パーフルオロメチルビニルエーテル、パーフルオロプロピルビニルエーテル、あるいはカルボン酸基やスルホン酸基のような官能基を有するパーフルオロビニルエーテルなどが好適であり、さらにフッ化ビニリデン、フッ化ビニル、三フッ化塩化エチレンなども使用可能である。
【００３１】
通常のフッ素化モノマの水性エマルジョン重合で得られる重合物の粒子は、０．１〜１０μｍ程度の粒径となり、サブミクロンの多孔構造を持つ基材を均一に被覆することは困難であるが、本発明では、有機ポリマを平均粒径が０．０１〜０．５μｍの微細な粒子とすることにより、多孔質高分子材料の微細構造によく入り込み、この骨格組織に均一な厚みの被覆を形成するようにすることが出来る。
【００３２】
このような微細なポリマ粒子を含む水性ラテックスは、モノマのマイクロエマルジョンを注意深く選択することにより可能にされた（ＰＣＴ／ＵＳ９３／０８８８４）。即ち、このモノママイクロエマルジョンは水、フルオロアルキル基を有する不飽和有機モノマ、フルオロ界面活性剤、及び任意に補助溶剤又は無機塩を混合して調製する。用いる量はフッ素化モノマ１〜４０重量％、好ましくは５〜１５重量％、界面活性剤１〜４０重量％、好ましくは２〜２５重量％、残部水である。
【００３３】
ポリマ製造に際して別のモノマも存在し得るが、ペルフルオロアルキル基を有するモノマがモノマ合計量のうち少なくとも３０重量％、好ましくは少なくとも５０重量％を成すべきである。このような追加されるモノマには不飽和部分を含むエポキシ、カルボン酸、アミンなどある。
代表的なペルフルオロアルキル含有モノマは先に説明した。
【００３４】
用いるフッ素化界面活性剤は一般式Ｒ１  ＲＹＸ（式中、Ｒ１  は１〜１５個、好ましくは６〜９個の炭素数のペルフルオロアルキル基又はペルフルオロアルキルエーテル基であり、Ｒは例えば炭素数０〜４のアルキレン基又はアルキレンチオエーテル（−ＣＨ２  −Ｓ−ＣＨ２  −）結合である。）を有する。フッ素化アニオン界面活性剤では、Ｙは例えばカルボキシル基（ＣＯＯ−）、スルホン基（ＳＯ３  −）又はスルフェート基（ＳＯ４  −）であり、Ｘはアルカリ金属イオン又はアンモニウムイオンである。フッ素化ノニオン界面活性剤ではＹは例えばエトキシエチレン（ＯＣＨ２  ＣＨ２  ）ｍ  結合（式中、ｍは１〜１５、好ましくは３〜９の整数）であり、Ｘは水酸基である。フッ素化カチオン界面活性剤ではＹＸは例えば第四級アンモニウム塩である。
【００３５】
上記のマイクロエマルジョンを用いる単一バッチプロセスでポリママイクロエマルジョンを調製する場合、モノママイクロエマルジョンの温度を５〜１００℃、好ましくは５〜８０℃に調整し、フリーラジカル生成重合開始剤を添加する。好ましい開始剤にはペルスルフェート、アゾ系開始剤（例えば、２，２−アゾビス（２−アミドプロパン）ジヒドロクロリド）、過酸化物、光重合開始剤（例えば、紫外線重合開始剤、γ線重合開始剤）がある。開始剤の量はモノマ含分に対して０．０１〜１０重量％の範囲で変化できる。必要に応じて、補助溶剤、例えば、アルコール、アミンその他の両親媒性分子、又は塩を用いてマイクロエマルジョンの調製を促進することができる。
【００３６】
重合開始剤を導入するとモノマの重合が開始し反応が進行する。得られるポリマ粒子ラテックスは０．０１〜０．５μｍの平均粒子径、１０，０００以上、好ましく２０，０００以上又は５０，０００以上のポリマ平均分子量を有する。異常に小さい粒径の粒子を含むポリマ系ではより大きい粒子のポリマ系と比べていくつかの利点がある。ポリマ系はコロイド分散体であり、通常濁りがなく透明である。小粒径粒子は均一な厚みの被覆を可能にし、多孔性基材の良好な透気性を維持する。ポリマ鎖のペンダント基が高くフッ素化されているので、ポリマを適用する基材の撥水性及び撥油性を増大する働きがある。
【００３７】
このように製造したポリマは、水性ラテックス中のポリマ濃度を通常２〜２５％、好ましくは５〜１０％程度にし、基材をコロイド分散体中に浸漬し、又はコロイド分散体を基材にスプレーして、コロイド分散体から直接に適用できる。又、塗布装置（コータ）によって適用してもよい。
また、基材にモノママイクロエマルジョンを適用してから、マイクロエマルジョンの重合を光重合開始により行うことも可能である。
【００３８】
基材に被覆を行った後、残っているすべての水、界面活性剤又は重合開始剤は加熱（例えば、１５０〜２５０℃）、水蒸気ストリッピング、真空蒸発など任意の便利な方法で除去することができる。
さらに、多孔性高分子基材の孔を形成する内部構造中に残った有機ポリマ粒子を溶融させることにより、多孔性基材の骨格を有機ポリマで被覆することができる。上記乾燥と溶融は同一処理で行うことも可能である。
【００３９】
本発明では、この多孔質高分子基材の骨格を有機ポリマで被覆するとき、基材である多孔質高分子材料の連続した孔構造を維持するように調整する。従来の水性エマルジョン重合で得られるフッ素化ポリマでは、その粒子の大きさから、この孔構造を閉塞することになるが、上記したように、本発明で用いる有機ポリマは、平均粒径が０．０１〜０．５μｍの微細な粒子であるため、連続した孔構造の維持が可能であり、多孔質高分子材料の空孔率を著しく低下させることがない。そして、これにより、本発明の加湿用シートは、撥水性、耐汚染性を有するだけでなく、大きい透湿度を保持することができる。
【００４０】
こうして製造される加湿用シートは、多孔質高分子基材、好適には延伸多孔質ＰＴＦＥの骨格を撥水性かつ撥油性の有機ポリマで被覆しかつ連続気孔を維持しているので、疎水性高分子多孔膜に耐汚染性を付与しながらなおかつその透湿性を保持することが可能である。
なお、給水層の両面に積層される水蒸発層は、必ずしも同じ材料を用いる必要は無い。即ち、給水層の片面には無孔質透湿性樹脂からなる水蒸発層又は無孔質透湿性樹脂を多孔質高分子基材の少なくとも一面に含浸及び／又は積層して成る水蒸発層を設け、他の面には疎水性多孔質膜からなる水蒸発層を設けることもできる。ここで、多孔質高分子基材は前述のものと同様のものを用いることができる。また、無孔質透湿性樹脂は透湿性樹脂の連続被膜を形成するものであり、このようなものとしては、水酸基、カルボキシル基、スルホン酸基、アミノ基等の親水性基を持つ高分子であって、水膨潤性でかつ水不溶性のものが好ましく用いられる。例えば、少なくとも一部が架橋されたポリビニルアルコール、酢酸セルロース、硝酸セルロース等の親水性ポリマや、ポリアミノ酸、ポリウレタン、親水性含フッ素ポリマ、シリコーン樹脂等が使用可能であるが、耐熱性、耐薬品性、加工性、透湿度等を考慮に入れるとポリウレタン樹脂、フッ素系透湿性樹脂が好ましい。
【００４１】
フッ素系透湿性樹脂としてはスルホン酸系パーフルオロイオン交換樹脂、特開平４−１３９２３７号に開示されている含フッ素モノマと親水基含有モノマとのコポリマなどの使用が望ましい。
無孔質透湿性樹脂層の厚さは、通常３〜４００μｍ、好ましくは５〜３０μｍである。このものの厚さが厚すぎると水蒸気透過量の低下をもたらし、加湿能力が不十分となる。従って、無孔質透湿性樹脂で必要とされる機械的強度、耐用性を満足させる範囲で極力薄い方が好ましい。また、この無孔質透湿性樹脂の透湿度は、少なくとも１００００ｇ／ｍ２  ・ｄａｙ  以上、好ましくは３００００〜７００００ｇ／ｍ２  程度あった方がよい。
【００４２】
給水層１と水蒸発層２との積層は、公知の方法で行うことが出来るが、例えば、給水層材料にグラビアパターンを施したロールでウレタン系接着剤を塗布し、その上に、疎水性多孔質膜を給水層に合わせてロール圧着する。この工程を給水層の上下面に連続して行う。この場合、接着剤を水蒸発層２面に塗布し、これを給水層１に圧着してもよい。なお、前記した有機ポリマの多孔質高分子基材の骨格への被覆工程は、給水層と水蒸気層との積層工程の後に行なってもよい。
【００４３】
本発明の加湿用シートは、給水層と水蒸発層が一体的に積層された構造となっているため、従来の中空状の加湿器用膜材と比較して、強度的にも改善されたものとなっており、水蒸発層の外側に織布、不織布、編布等の補強材を積層して内部水圧によるシートの破壊を防ぐといった必要は無い。しかしながら、製造時等における水蒸発層の損傷を防止する意味でこれを設けることは一向に差し支えない。
【００４４】
本発明の加湿用シートは、種々の形態で加湿器に用いることが出来る。その例を挙げると、先ず適宜の形状のシートの端縁部を接着剤による接着又は熱融着等の方法で閉鎖する。熱融着の場合、中間層材料の不織布等を溶かして行う。このシートを複数個準備し、通風の為の間隔をおいて、略平行に並べて加湿ユニットとする。この加湿ユニットに給水する為に、各シート間の適宜の位置に板状体を挟んで上下のシートと接合し、板状体及びシートを上下に貫通する給水用小穴を設ける。あるいは、貫通するように予めシートと板状体に穴をあけておき、これを接合するようにしてもよい。接合には接着剤を用いるとよい。このように構成すると、加湿用水は、この給水用小穴を経由して、各シートに供給され、毛細管現象により、シート全域に行き渡ることになる。他の給水方法としては、各シートにチューブ等を用いて給水口を設け、この給水口を経由して加湿用水を供給してもよい。
【００４５】
他の例としては、本発明のシートを長尺に形成し、端縁部を閉鎖した後、スペーサを用いて一定の通風の為の間隔をあけて渦巻状に巻成したり、プリーツ状に折り畳んだりして加湿ユニットとすることも出来る。給水は、このシートに給水口を設けて行えばよい。
本発明の加湿ユニットは、必要に応じて加湿器用シートに排水口を設け、シート内に給水された加湿用水を洗浄の為に排出したり、あるいは、加湿器の運転中に排水口から一定の量の水を連続的に又は間欠的に排出して加湿用水の流れを作り、シート内の目詰まりを発生しにくくすることが出来る。
【００４６】
この様にして形成された加湿ユニットは、取付枠に収納し、給水配管と接続し、送風手段により空気を送風することにより、空気を加湿することが出来る。
【００４７】
【実施例】
以下の実施例において耐水圧、通気性及び透湿性を下記方法で測定した。
耐水圧
ＪＩＳ  Ｌ  １０９２  ５．１項のＢ法に従った。また、切削油の耐圧試験もこれに準じた。
【００４８】
通気性（ガーレー数）
ＪＩＳ  Ｌ  １０９６  ６．２７項のＢ法に準拠し、王研式透気度試験機により測定した。
透湿度
ＪＩＳ  Ｌ  １０９９中、４．２項のＢ法（酢酸カリウム法）により行なった。
【００４９】
（水性ラテックス調製例１）
１００ミリリットルのガラス製反応器にフルオロアクリレート即ち
【００５０】
【化１０】
0003606614.tif 000011
【００５１】
（Ｄｕ  Ｐｏｎｔ製商品名Ｚｏｎｙｌ  ＴＡ−Ｎ）１０ｇ、アンモニウムペルフルオロオクタノエート１５ｇ、蒸留水７０ｇを入れ、攪拌しながら７０℃に加熱した。淡緑色の清澄な（ｃｌｅａｒ）マイクロエマルジョンが形成された。蒸留水５ｇに溶解した０．１ｇの過硫酸カリウムを反応器に入れて反応を開始させた。７０℃で約１時間反応させた。それから反応混合物を室温まで冷却した。清澄なラテックスが得られ、室温で少なくとも２４時間安定であった。ラテックスの平均粒径を測定すると擬弾性光散乱法で約０．０３μｍであった。得られたポリマの重量平均分子量を測定すると古典光散乱法で約１，０００，０００以上であった。
【００５２】
（水性ラテックス調製例２）
１００ミリリットルのガラス製反応器にフルオロメタリレート（Ｄｕｐｏｎｔ製商品名Ｚｏｎｙｌ  ＴＭ）１０ｇ、アンモニウムペルフルオロオクタノエート２０ｇ、蒸留水６５ｇを入れ、撹拌しながら７５℃に加熱した。淡緑色の清澄マイクロエマルジョンが形成された。次に５ｇの蒸留水に溶解した０．１ｇの過硫酸アンモニウムを反応器に入れて反応を開始した。７５℃で約１時間重合させてから反応混合物を室温まで冷却した。清澄ラテックスが得られ、室温で少なくとも２４時間安定であった。ラテックスの平均粒径を擬弾性光散乱法で測定すると約０．０３μｍであった。重量平均分子量を古典光散乱法で測定すると１，０００，０００以上であった。
【００５３】
（水性ラテックス調製例３）
フッ素化モノマ、水素化モノマ、フッ素化界面活性剤、及び水素化界面活性剤の混合物を用いた。
１００ミリリットルのガラス製反応器にフルオロアクリレート即ち（Ｄｕ  Ｐｏｎｔ製商品名Ｚｏｎｙｌ  ＴＡ−Ｎ）４ｇ、スチレン（Ａｌｄｒｉｃｈ  Ｃｈｅｍｉｃａｌ製）２ｇ、アンモニウムペルフルオロオクタノエート３ｇ、ナトリウムドデシルスルフェート（Ａｌｄｒｉｃｈ製）７ｇ、蒸留水８０ｇを入れ、攪拌しながら７０℃に加熱した。清澄マイクロエマルジョンが形成された。蒸留水５ｇに溶解した０．０７ｇのカチオン重合開始剤（Ｗａｋｏ製、Ｖ−５０）を反応器に入れて反応を開始させた。７０℃で約２時間重合させた。それから反応混合物を室温まで冷却した。清澄なラテックスが得られ、室温で少なくとも２４時間安定であった。
【００５４】
（疎水性多孔質膜調製例）
ＰＴＦＥ多孔質膜（厚さ５０μｍ、空孔率８０％、平均孔径０．２μｍ、ガーレー数１０秒）を水性ラテックス調製例１で調製した水性ラテックスを蒸留水で３倍に希釈したものに浸漬し、余剰液体を滴下除去し、２２５℃のオーブン中に３分間置いた。この処理で水とフッ素化界面活性剤が除去されると共に、フッ素化ポリマが溶融し流動した。得られた膜のガーレー数を測定すると１１秒であり、連続気孔が維持していることが確認された。
【００５５】
この処理膜の耐切削油性を上水道管用切削油（ミヤガワ５０Ｗ）を用いた耐圧試験で評価した。また、同じく上記処理膜でたて１０ｃｍ×よこ１０ｃｍの袋を作成し、袋中に水道水を連続的に供給しながら、６０℃乾燥熱風を吹付け、袋内部の水を、膜を介して２５０ｃｃ／ｃｍ２  の量（５０ｌ）蒸発させた後、水中含有物が堆積した部分の膜の耐水性試験を実施した。
【００５６】
比較のために、上記有機ポリマ被覆処理を行なわない上記と同じＰＴＦＥ多孔質膜について、上記と同じ評価試験を行なった。
結果を下記表に示す。
0003606614.tif 000012
（加湿用シートの調製例）
疎水性多孔質膜調製例で作製したフッ素化有機ポリマ処理ＰＴＦＥ膜の片面に、グラビアパターンロール（開孔率７０％に設定）を用いて接着剤（ウレタン樹脂）を塗布し、この面にアクリルの不織布（厚さ３ｍｍ、目付５０ｇ／ｍ）を合わせ、圧力３ｋｇ／ｃｍ２  、速度５ｍ／分の条件でロール圧着を行った。その後、アクリル不織布の他の面にも同じ方法、条件で、同じ有機ポリマ処理ＰＴＦＥ膜を圧着した。この様に連続して３層一体構造とした加湿器用シートの透湿度は５０，０００ｇ／ｍ２  ・２４ｈｒであった。
【００５７】
この様にして作った幅４６ｍｍ、長さ１５ｍの加湿用シートの巾方向両端及び長さ方向両端を加熱加圧によりシールし、端末に注水チューブを付けた構造とした。
この加湿用シートを幅４６ｍｍ、長さ１５ｍの波板状スペーサ（高さ２．５ｍｍ、ピッチ６．２ｍｍ）を共に図３に示したと同じように組付け、４０℃で湿度１５％の空気を風速２ｍ／ｓｅｃ  で吹付けた時、加湿量は１ｋｇ／ｈｒ確保できた。この時風の圧力損失は５μｍＨ２  Ｏで安定していた。さらにこの加湿器に０．１％切削油を流し込みリークを確認したがリークは発生しなかった。
【００５８】
（加湿ユニットの調製例）
図４を参照すると、加湿用シートの調製例の如く調製した加湿用シート１１は、幅４６ｍｍ、長さ９９０ｍｍ、厚さ２．０ｍｍで、その周縁部１２がシールされている。また、一端部近くに直径６ｍｍの注水口１３が設けられている。このような加湿用シート２５枚と、幅４５ｍｍ、長さ９４５ｍｍ、ピッチ６．２ｍｍ、高さ２．５ｍｍのポリエチレン製波板１４の２６枚、及び幅４６ｍｍ、長さ４６ｍｍ、厚さ３．０ｍｍの塩化ビニル樹脂板１５の２６枚とを積層し、図４中の斜線部１６に塩化ビニル系接着剤を塗布して接着した。樹脂板１５にも注水口１３を設けている。従って、注水口は最上段の樹脂板１５から最下段の加湿用シート１１までの貫通口を形成し、最下段の樹脂板１５で閉鎖されている。
【００５９】
図５にこうして積層した加湿用シート２０を示す。
図６は、この積層品を取付枠（外寸１０００ｍｍ×１５０ｍｍ×５０ｍｍの溶融亜鉛メッキ鋼板製）２１中に収容し、かつチューブコネクター（外径８ｍｍ、内径６ｍｍ）２２を取付け、加湿ユニットを完成した。
完成した加湿ユニットに上水を供給し、４５℃で湿度２０％の空気を風速１．５ｍ／ｓｅｃ  で送風して試験した。このとき加湿能力として１．５リットル／時が記録された。空気の圧力損失は７Ｐａ以下であった。
【００６０】
図７に供給水を加熱した場合の加湿量を調べた結果を示す。
【００６１】
【発明の効果】
本発明の加湿用シート又は加湿ユニットは、給水層と水蒸発層とを一体構造とすることにより入水時の膜の膨れはなくなり、空気の圧力損失は安定ないし減少する。
また、特定の加湿膜を使用することにより切削油等の油性成分や、加湿用水中の有機性・無機性の不純物に対して耐汚染性を有し、白粉公害の発生しないクリーンな加湿空気を供給する膜式加湿器が得られる。
【００６２】
さらに、本発明の加湿用シートはその構造が連続多孔質構造を維持していることから加湿器運転時に於ける加湿用水の導入も容易であり、加湿能力も優れたものである。
【図面の簡単な説明】
【図１】本発明の加湿用シートの断面図。
【図２】従来の加湿用シートの説明図。
【図３】従来の加湿ユニットの概略斜視図。
【図４】本発明の加湿ユニット用の加湿用シートを積層する様子を示す。
【図５】図４の積層品を示す。
【図６】本発明の加湿ユニットの例を示す。
【図７】供給水を加熱した場合の加湿量を示す。
【符号の説明】
１…給水層
２…水蒸発層
３…補強材
４…疎水性多孔質膜
５…取付け枠
６…注水口
７…セパレーター
８…水流路確保用スペーサー
９…袋状加湿器用膜材
１１…加湿用シート
１３…注水口
１４…スペーサ
１５…樹脂板
２１…取付枠
【図１】
0003606614.tif 000013
【図２】
0003606614.tif 000014
【図３】
0003606614.tif 000015
【図４】
0003606614.tif 000016
【図５】
0003606614.tif 000017
【図６】
0003606614.tif 000018
【図７】
0003606614.tif 000019